(57)【要約】【課題】従来の手摺用取付具は、取付部から手摺までの長さの調整ができなかったり、該長さの調整ができるにしても部品点数が多いため製造コストが高価となるばかりでなく、取り付けや長さ調整に多大な手間がかかったりするものであった。【解決手段】本発明の取付具は、取付基体が有底筒状であり、筒状部にアームが摺動自在に挿入されている。取付基体の係合穴から挿入した調整ネジがアームのネジ穴に螺入されており、アームの他端に手摺を固定する支持部が回動自在に設置されている。【選択図】　　　図１
2004084423.tif 000002
【特許請求の範囲】
【請求項１】
取付基体からのアームの高さ調整を調整ネジで行う手摺用取付具において、取付基体は有底筒状であり、取付基体の底部略中央に係合穴が穿設されていて、該係合穴の周囲には取付ネジを挿通する複数の取付穴が穿設されており、またアームは湾曲していて一端が前述取付基体の筒状部に挿入可能な挿入部となっているとともに他端が支持部となっており、該支持部には手摺を保持する保持体が回動自在に設置されていて、さらに挿入部の中央には湾曲した支持部の横方まで貫通したネジ穴が螺設されており、しかも取付基体の係合穴にネジ頭を係合した調整ネジがアームのネジ穴に螺合されていることを特徴とする手摺用取付具。
【請求項２】
前記取付基体とアームの挿入部とは相互に回動を阻止する形状となっていることを特徴とする請求項１記載の手摺用取付具。
【発明の詳細な説明】
【０００１】
【発明の属する技術分野】
本発明は、階段や廊下に設置する手摺用の取付具に関する。
【０００２】
【従来の技術】
最近の高齢化社会から多くの家庭においても高齢者が居住するようになってきた。高齢者は、少しの段差や小さな物があっても、つまずいたり転んだりしてしまう。そこで高齢者が居住する家庭では部屋間の段差をなくすバリヤーフリーにしたり、高齢者が歩く所には物を置かないように注意したりしている。さらに階段は高齢者にとって最も危険な場所であり、高齢者の居る家庭では階段に手摺を取り付けることが必須となっている。また高齢者にとって廊下にも手摺が取り付けられていれば安心して歩ける。そこで高齢者がいる多くの家庭では、廊下や階段に手摺を取り付けている。
【０００３】
一般に手摺は木や合成樹脂からなる円柱状のものや金属パイプであり、手摺用取付具で廊下や階段の壁面に取り付けている。従来の手摺用取付具（以下、単に取付具という）は、樹脂やダイカスト金属を射出成形したもので、手摺を保持する部分と壁面に取り付ける部分が一体となったものであった。しかしながら日本の家屋は、柱が壁より突出していることが多く、このような所に取付具を手摺に対して等間隔位置に取り付けようとすると、取付具を壁面や柱に取り付けなければならないことがある。壁面と柱とは突出高さが異なるため、従来の一体となった取付具を壁面と柱の両方に取り付けるときに、壁面では、壁面と取付部間に隙間ができてしまう。そこで従来の取付具では、隙間に板材を挟んで高さの調節を行っていた。しかしながら、隙間に板材を挟むと、奇異な感じとなり、インテリアデザイン的に非常に見苦しいものとなる。
【０００４】
このような不都合を解消するため壁や柱に取り付ける部分の高さを調節可能にした取付具が特開平１０−４６７７７号で提案されていた。この取付具は、基台に球状物を設置し、該球状物の上を回転摺動するネジが取り付けられたものである。そして受け部と取付部の高さを調節するときには、ネジを回動して基台からアームを移動させることにより適宜な高さが得られるようになっている。
【０００５】
【発明が解決しようとする課題】
ところで従来の高さ調節可能な取付具は、部品点数が多く構造が複雑であるため、取付作業に手間がかかるばかりでなく、製造価格も高価となるという問題があった。またこの取付具は、ネジの回動とともにアームも回動してしまうことがあり、取付作業時にアームの取り付け角度を揃えることが困難であった。本発明は、取付作業が容易であり、または部品点数が少なく安価に製造できるばかりでなくアームの取り付け角度を揃えることができるという取付具を提供することにある。
【０００６】
【課題を解決するための手段】
本発明者は、取付具の主体となる部品を少ない部品点数にすることにより、製造コストが安価になるばかりでなく、調整や取り付けが極めて簡単になることに着目して本発明を完成した。
【０００７】
本発明は、取付基体からのアームの高さ調整を調整ネジで行う手摺用取付具において、取付基体は有底筒状であり、取付基体の底部略中央に係合穴が穿設されていて、該係合穴の周囲には取付ネジを挿通する複数の取付穴が穿設されており、またアームは湾曲していて一端が前述取付基体の筒状部に挿入可能な挿入部となっているとともに他端が支持部となっており、該支持部には手摺を保持する保持体が回動自在に設置されていて、さらに挿入部の中央には湾曲した支持部の横方まで貫通したネジ穴が螺設されており、しかも取付基体の係合穴にネジ頭を係合した調整ネジがアームのネジ穴に螺合されていることを特徴とする手摺用取付具である。
【０００８】
本発明の取付具は、取付基体の筒状部の中をアームが摺動することにより取付基体からの高さ、即ち取付具を取り付ける壁や柱等からの高さを調整するものであり、この摺動はアームの牝ネジに螺入した調整ネジを回動することにより行う。この調整ネジの回動時に調整ネジとともにアームが回動してしまうと、他の取付具とアームの角度がバラバラになってしまい、非常に見苦しくなる。そこで本発明では、アームは取付基体の筒状部の中で容易に摺動するにもかかわらず、アームが回動するのを阻止する手段も採用できるようになっている。この回動阻止手段とは、取付基体の筒状部と該筒状部内を摺動するアームを同一の多角形にしたり、筒状部とアームを楕円形にしたり、或は筒状部とアームのどちらか一方にガイド溝を刻設し、アームと筒状部のどちらか一方にガイド溝に嵌合できる突状物を形成したりすることである。本発明で採用する回動阻止手段としては、取付基体の筒状部を逆二等辺三角形にし、該筒状部に挿入するアームの挿入部も逆二等辺三角形にしたものが好適である。
【０００９】
本発明の取付具は、前述のように調整ネジを回動することにより高さの調整を行うため、調整ネジにはネジ端部に回動工具を係合できる係合溝が刻設されている。一般に多く使用される回動工具としてはドライバーである。そこでネジ端部に刻設する係合溝は、ドライバーを係合するプラスまたはマイナス溝が適しているが、六角レンチを用いるようなところでは六角溝を刻設してもよい。
【００１０】
【実施例】
以下、図面に基づいて本発明の取付具を説明する。図１は本発明取付具の分解側面断面図、図２は同側面図、図３は同正面図、図４は同背面図、図５は手摺の取付状態を説明する斜視図である。
【００１１】
本発明の取付具は、取付基体１、アーム２、支持体３および調整ネジ４から構成されている。取付基体１は後述アームを挿入する部分が有底の筒状部５となっており、この筒状部は図３、４に示すように丸みを帯びた逆二等辺三角形となっている。取付基体１の底部６の略中央に係合穴７が穿設されており、該係合穴の外側には後述調整ネジのネジ頭を埋め込むことができる段部８が形成されている。また係合穴７の周囲には木ネジのような取付ネジを挿通する取付穴９、１０、１０が穿設されている。取付穴９は円形であるが、他の取付穴１０、１０は取付穴９を中心とした円の円弧状となっている。この円弧状の取付穴１０、１０は、取付具を取り付け後、少しの角度ずれがあったときに、それを修正できるようになっている。また取付基体１の逆二等辺三角形の頂部となるところに長溝１１が刻設されている。
【００１２】
アーム２は、取付基体１に摺動自在に挿入する挿入部１２と、後述支持体を取り付ける支持部１３となっており、略９０度上方に湾曲している。挿入部１２は取付基体１よりも少し小さな丸みを帯びた逆二等辺三角形となっており、取付基体１の筒状部５内を容易に摺動できるようになっている。アーム２を筒状部５に挿入したときに前述長溝１１と一致するところに牝ネジ１４が螺設されていて、該牝ネジには長溝１１から固定ネジ１５が螺入されるようになっている。また挿入部１２の略中央には軸方向にネジ穴１６が穿設されており、該ネジ穴は湾曲した支持部１３の横方下部に貫通している。ネジ穴１６の出口には、蓋部材１７を嵌合できるようになっている。
【００１３】
アームの支持部１３は、挿入部１２から径が漸次細くなっており、上方に向いた先端は取付基体１に対して平行する平板１８を形成している。平板１８には平板を貫通してピン挿入穴１９が穿設されている。
【００１４】
支持体３は上部が手摺を受ける受け部２０となっており、下部が二股形状となっていて支持部１３の平板１８を挟んでピン２１で回動自在に軸支されている。受け部２０には二ヶ所にネジ挿入穴２２、２２が穿設されている。
【００１５】
調整ネジ４は、頭部２３が前述取付基体１の段部８に埋め込まれた状態で係合穴７に係合し、アーム２のネジ穴１６に螺入するようになっている。該調整ネジのネジ端部、即ちネジの頭部２３に対して反対側となる部分には回動工具を係合する溝２４が刻設されている。
【００１６】
次に上記構成からなる本発明の取付具を壁や柱に取り付ける状態について説明する。先ず取付基体１の係合穴７に調整ネジ４を挿入した状態にし、取付具を取り付ける壁や柱の所定の位置に当てて、ネジ挿入穴９、１０、１０から木ネジを挿入することにより壁や柱にネジ込む。ここにおける所定の位置とは、手摺を取り付ける高さが階段であれば、人が上がり下がりするときに丁度つかまるのに適した高さであり、この高さは取付具を取り付ける部分の真下にある階段のステップから計って全て同一高さにする。そして取付基体１の取り付け角度を修正する場合は、木ネジを少し緩めて円弧状のネジ挿入穴１０、１０内で木ネジの位置を移動させることにより角度を変えることができるようになる。取り付け角度の修正が終了したならば、全ての木ネジを強固に締める。
【００１７】
取付基体１の取り付けが終了したならば、該取付基体の筒状部５にアーム２の挿入部１２を挿入し、ネジ穴１６の外からドライバーを挿入する。そして調整ネジ４の係合溝２４にドライバーを係合して回動する（調整ネジが右ネジであれば左回り）。すると調整ネジ４がアーム２のネジ穴１６に螺入していくとともに、アーム２の挿入部１２が筒状部５内に進入していく。このアームの進入はアームの基点、例えば設置する支持体の中央を基点にした場合、該基点から壁までの距離を決めておき、壁に取り付けた全ての取付具を同一距離にする。また取付具を壁より突出した柱に取り付ける場合、壁に取り付けるときよりも取付基体底面から基点までの距離を短くする。このようにして壁や柱に取付具を取り付けると、全ての取付具の基点は一直線上に並ぶ。取付具の基点が一直線に並んでいないときは、不揃いの取付具の調整ネジを回動して一直線上に並べる。この調整が終了したならば、固定ネジ１５を筒状部５の長穴１１から挿入部１２の牝ネジ１４螺入してに締め付け、取付基体１とアーム２を完全に固定する。その後、ネジ穴の外部に蓋部材１７を嵌合して、ネジ穴を隠す。
【００１８】
壁や柱の所定の位置に取付具を取り付けたならば、支持体４の受け部２０の上に手摺Ｔを載置し、支持体４のネジ挿入穴２２、２２から木ネジを挿入して手摺Ｔにネジ込み、手摺を取付具に固定する。このようにして階段に手摺を取り付ける場合、階段は傾斜しているため、手摺も階段の手摺に沿って傾斜する。従って、支持部２０に手摺Ｔを搭載したときに支持体３も当然傾斜するようにしなければならないが、本発明の取付具は支持体３が支持部１３とピン２１で回動自在に軸支されているため、如何なる手摺の傾斜に対しても支持体３が自由に傾斜して手摺を受けることができる。
【００１９】
【発明の効果】
以上説明したように、本発明の取付具は、部品点数が少ないため製造コストが安価となるばかりでなく、壁や柱への取り付け容易であり、しかも支持体の位置調整が極めて簡単に行えるという従来の取付具にない優れた効果を奏するものである。
【図面の簡単な説明】
【図１】本発明取付具の分解側面断面図
【図２】本発明取付具の側面図
【図３】本発明取付具の正面図
【図４】本発明取付具の背面図
【図５】手摺の取付状態を説明する斜視図
【符号の説明】
１　取付基体
２　アーム
３　支持体
４　調整ネジ
５　筒状部
６　底部
７　係合穴
１２　挿入部
１３　支持部
【図１】
2004084423.tif 000003
【図２】
2004084423.tif 000004
【図３】
2004084423.tif 000005
【図４】
2004084423.tif 000006
【図５】
2004084423.tif 000007